【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
軸方向へ変位自在であり回転することで記録媒体を繰り出す回転軸と、
前記回転軸から繰り出された前記記録媒体に印刷を行う印刷ヘッドと、
前記回転軸から前記印刷ヘッドへ到る間で前記記録媒体を支持する支持部材と、
前記支持部材に支持される前記記録媒体に表面改質処理を行う処理実行部と、
前記回転軸の変位に応じて前記支持部材を変位させる変位機構と
を備えたことを特徴とする印刷装置。
【請求項２】
前記処理実行部は、前記支持部材の変位に伴って変位する請求項１に記載の印刷装置。
【請求項３】
前記変位機構は、前記回転軸と前記支持部材とを一体的に駆動することで前記回転軸の変位に応じて前記支持部材を変位させる駆動部を有する請求項１または２に記載の印刷装置。
【請求項４】
前記変位機構は、前記回転軸および前記支持部材をそれぞれ個別に駆動することで、前記回転軸の変位に応じて前記支持部材を変位させる駆動部を有する請求項１または２に記載の印刷装置。
【請求項５】
前記回転軸から前記印刷ヘッドに到る間に配置された一対のローラーで前記記録媒体をニップするニップ部をさらに備え、前記支持部材は、前記回転軸と前記ニップ部との間で前記記録媒体を支持する請求項１ないし４のいずれか一項に記載の印刷装置。
【請求項６】
前記回転軸から前記印刷ヘッドに到る間で前記記録媒体を支持して前記印刷ヘッドへ繰り出す駆動ローラーをさらに備え、前記支持部材は、前記回転軸と前記駆動ローラーとの間で前記記録媒体を支持する請求項１ないし４のいずれか一項に記載の印刷装置。
【請求項７】
前記軸方向における前記記録媒体の位置を検出する検出部をさらに備え、前記回転軸の前記軸方向への変位量は前記検出部の検出結果に基づいて制御される請求項１ないし６のいずれか一項に記載の印刷装置。
【請求項８】
回転軸から印刷ヘッドへ向けて繰り出された記録媒体に対して前記印刷ヘッドにより印刷を行う印刷方法であって、
前記回転軸を軸方向に変位させつつ前記回転軸を回転させて前記記録媒体を繰り出す工程と、
前記回転軸から前記印刷ヘッドへ到る間で支持部材により支持された前記記録媒体に表面改質処理を行う工程と、
前記表面改質処理を受けた後に前記印刷ヘッドへ繰り出された前記記録媒体に対して前記印刷ヘッドにより印刷を行う工程と
を備え、
前記回転軸の変位に応じて前記支持部材を変位させることを特徴とする印刷方法。
【手続補正２】
【補正対象書類名】明細書
【補正対象項目名】００１０
【補正方法】変更
【補正の内容】
【００１０】
ちなみに、回転軸の変位に応じて支持部材を変位させる変位機構の具体的構成としては、種々の態様が考えられる。そこで、変位機構は、回転軸と支持部材とを一体的に駆動することで回転軸の変位に応じて支持部材を変位させる駆動部を有しても良い。あるいは、変位機構は、回転軸および支持部材をそれぞれ個別に駆動することで、回転軸の変位に応じて支持部材を変位させる駆動部を有しても良い。
【手続補正３】
【補正対象書類名】明細書
【補正対象項目名】００１４
【補正方法】変更
【補正の内容】
【００１４】
【図１】図１は、本発明を適用可能なプリンターが備える装置構成を示す図。
【図２】回転軸、コロナ処理装置および従動ローラーを変位させるステアリング機構を示す図。
【図３】図２のステアリング機構によるコロナ処理装置の支持態様を示す図。
【図４】図１に示すプリンターを制御する電気的構成を模式的に示すブロック図。
【図５】ステアリング制御を実行する電気的構成の概要を例示するブロック図。
【図６】コロナ処理装置の変形例を模式的に示す正面図。
【手続補正４】
【補正対象書類名】明細書
【補正対象項目名】００２４
【補正方法】変更
【補正の内容】
【００２４】
このようにステアリング機構８の可動支持部材８１は、繰出軸２０、コロナ処理装置７および従動ローラー２１を一体的に支持する。しかも、可動支持部材８１は、軸方向Ｄaに変位自在である。したがって、後述する軸方向駆動モーターＭa（図４）によって可動支持部材８１を軸方向Ｄaへ駆動することで、繰出軸２０を軸方向Ｄaへ変位させることができるとともに、コロナ処理装置７および従動ローラー２１も繰出軸２０と一体的に軸方向Ｄaへ変位させることができる。しかも、繰出軸２０が変位することで、シートＳの位置が軸方向Ｄaに調整される。したがって、繰出部２で位置調整がなされたシートＳがプロセス部３へと繰り出される。なお、後述するように、シートＳの位置調整は、従動ローラー２１と前駆動ローラー３１の間に配置されたエッジセンサーＳeによって、軸方向ＤaにおけるシートＳの端を検出した結果に基づき、繰出軸２０の変位量をフィードバック制御することで実行される。
【手続補正５】
【補正対象書類名】明細書
【補正対象項目名】００４６
【補正方法】変更
【補正の内容】
【００４６】
さらに、プリンター制御部２００は、上述のステアリング機構８を制御する機能を担っており、エッジセンサーＳeの検出結果に基づいて、軸方向駆動モーターＭaをフィードバック制御する。具体的には、図５に示すように、プリンター制御部２００は、内蔵するステアリング制御ブロック２１０および記憶部２２０を用いて、ステアリング制御を行う。
【手続補正６】
【補正対象書類名】明細書
【補正対象項目名】００５１
【補正方法】変更
【補正の内容】
【００５１】
その他
以上のように、上記実施形態では、プリンター１が本発明の「印刷装置」の一例に相当し、繰出軸２０が本発明の「回転軸」の一例に相当し、軸方向Ｄaが本発明の「軸方向」の一例に相当し、記録ヘッド５１、５２が本発明の「印刷ヘッド」の一例に相当し、支持ローラー７１が本発明の「支持部材」の一例に相当し、コロナ処理装置７が本発明の「処理実行部」の一例に相当し、コロナ処理が本発明の「表面改質処理」の一例に相当し、ステアリング機構８が本発明の「変位機構」の一例に相当し、シートＳが本発明の「記録媒体」の一例に相当し、変位支持部材８１および軸方向駆動モーターＭaが協働して本発明の「駆動部」の一例に相当し、ニップ部Ｎが本発明の「ニップ部」の一例に相当し、エッジセンサーＳeが本発明の「検出部」の一例に相当する。
【手続補正７】
【補正対象書類名】明細書
【補正対象項目名】００５４
【補正方法】変更
【補正の内容】
【００５４】
また、上記実施形態では、ステアリング機構８は、繰出軸２０と支持ローラー７１とを一体的に駆動することで、繰出軸２０の変位に応じて支持ローラー７１を変位させていた。しかしながら、例えば、繰出軸２０および支持ローラー７１それぞれにモーターを設けておき、繰出軸２０および支持ローラー７１を対応するモーターによってそれぞれ個別に駆動することで、繰出軸２０の変位に応じて支持ローラー７１を変位させるように、ステアリング機構８を構成しても良い。この際、繰出軸２０および支持ローラー７１それぞれの変位量は同じであっても良い。あるいは、繰出軸２０と支持ローラー７１とが軸方向Ｄaの同じ側に変位するのであれば、繰出軸２０および支持ローラー７１それぞれの変位量が異なっていても構わない。具体的には、繰出軸２０の軸方向Ｄaへの変位量に対して、支持ローラー７１の軸方向Ｄaへの変位量が小さくても大きくても良い。
【手続補正８】
【補正対象書類名】明細書
【補正対象項目名】００６０
【補正方法】変更
【補正の内容】
【００６０】
また、上記実施形態では、支持ローラー７１は、軸方向駆動モーターＭaの駆動力を受けて変位するものであった。しかしながら、バネ等の弾性部材で支持ローラー７１を支持して、シートＳからの反作用を受けて支持ローラー７１が変位するように構成することで、繰出軸２０の変位に応じて支持ローラー７１が変位するように構成しても良い。